(57)【特許請求の範囲】
【請求項１】
権利の情報を保持した情報保持手段をアクセスして前記情報保持手段に記録した前記権利の情報を更新することにより、該権利のユーザーへの移転を記録すると共に、該権利の帰属を示す情報を提供する情報管理装置であって、
情報携帯装置に固有のコードを用いて、前記権利の帰属を示す情報を暗号化し、前記情報携帯装置側におけるテンキーの操作により前記情報携帯装置に入力可能に数字列による暗号化情報を生成する暗号化手段と、
音声により前記暗号化情報を前記情報携帯装置のユーザーに提供する情報提供手段と
を備える情報管理装置。
【請求項２】
前記権利の帰属を示す情報が、
所定の場所への前記ユーザーの入場を許可する情報である
請求項１に記載の情報管理装置。
【請求項３】
前記所定の場所が、
イベントの会場である
請求項２に記載の情報管理装置。
【請求項４】
前記情報携帯装置が、
ＩＣカードである
請求項１に記載の情報管理装置。
【請求項５】
前記情報提供手段による前記暗号化情報の提供に対する課金の処理を実行する
請求項１に記載の情報管理装置。
【請求項６】
前記情報携帯装置は、
固有のコードにより、前記情報携帯装置より通知される暗号化情報の暗号化を解除して移転の情報を出力する暗号化解除手段を備え、
前記情報管理装置は、
前記移転の情報に応じて前記情報保持手段をアクセスして、対応する権利の情報を更新することにより、対応する権利の移転を登録する
請求項１に記載の情報管理装置。
【請求項７】
前記情報携帯装置が、
ＩＣカードである
請求項６に記載の情報管理装置。
【請求項８】
前記権利の帰属を示す情報が、
所定の場所への前記ユーザーの入場を許可する情報である
請求項６に記載の情報管理装置。
【請求項９】
前記所定の場所が、
イベントの会場である
請求項８に記載の情報管理装置。
【請求項１０】
前記情報管理装置は、
前記情報提供手段による前記暗号化情報の提供に対する課金の処理を実行し、
前記移転の暗号化情報に対応して、前記課金の処理を変更する
請求項６に記載の情報管理装置。
【請求項１１】
情報管理装置において情報保持手段に保持した権利の情報を更新すると共に、前記情報管理装置より前記権利の帰属を示す情報をユーザーに提供する情報管理システムに適用される情報携帯装置であって、
前記権利の帰属を示す情報は、
前記情報携帯装置に固有のコードを用いて暗号化されて、前記情報携帯装置側におけるテンキーの操作により入力可能に数字列による暗号化情報に変換され、音声により提供され、
前記情報携帯装置は、
キー操作により前記暗号化情報の入力を受け付ける入力手段と、
前記固有のコードにより、前記暗号化情報の暗号化を解除して前記権利の帰属を示す情報を出力する暗号化解除手段と、
前記権利の帰属を示す情報を記録する記録手段と、
所定のアクセス手段により前記記録手段に記録した前記権利の帰属を示す情報を出力する情報出力手段とを備える
情報携帯装置。
【請求項１２】
前記情報携帯装置の全部又は一部が、
ＩＣカードである
請求項１１に記載の情報携帯装置。
【請求項１３】
前記権利の帰属を示す情報が、
所定の場所への前記ユーザーの入場を許可する情報である
請求項１１に記載の情報携帯装置。
【請求項１４】
前記所定の場所が、
イベントの会場である
請求項１３に記載の情報携帯装置。
【請求項１５】
前記記録手段に保持した前記権利の帰属を示す情報より、該権利の移転を求める情報を生成する情報生成手段と、
テンキーの操作により入力可能に、固有のコードにより、前記移転を求める情報を暗号化して数字列による移転の暗号化情報を生成する暗号化手段と、
前記暗号化手段による暗号化に対応して、前記アクセス手段によっては、前記移転の暗号化情報に対応する前記権利の帰属を示す情報をアクセスできないように設定する制御手段と、
前記移転の暗号化情報を表示する表示手段とを備え、
前記表示手段に前記移転の暗号化情報を表示して前記移転の暗号化情報を前記情報管理装置に提供することにより、前記移転の暗号化情報に対応する権利の移転を前記情報管理装置に指示する
請求項１１に記載の情報携帯装置。
【請求項１６】
前記情報携帯装置の全部又は一部が、
ＩＣカードである
請求項１５に記載の情報携帯装置。
【請求項１７】
前記権利の帰属を示す情報が、
所定の場所への前記ユーザーの入場を許可する情報である
請求項１５に記載の情報携帯装置。
【請求項１８】
前記所定の場所が、
イベントの会場である
請求項１７に記載の情報携帯装置。
【請求項１９】
テンキーの操作により入力可能に、他の情報携帯装置に固有のコードを用いて、前記記録手段に保持した前記権利の帰属を示す情報より数字列による第２の暗号化情報を生成する暗号化手段と、
前記暗号化手段による暗号化に対応して、前記アクセス手段によっては、前記第２の暗号化情報に対応する前記権利の帰属を示す情報をアクセスすることができないように設定する制御手段と、
前記第２の暗号化情報を表示する表示手段とを備え、
前記表示手段に前記移転の暗号化情報を表示して前記第２の暗号化情報を前記他の情報携帯装置に提供することにより、前記第２の暗号化情報に対応する権利を前記他の情報携帯装置に移転する
請求項１１に記載の情報携帯装置。
【請求項２０】
前記情報携帯装置の全部又は一部が、
ＩＣカードである
請求項１９に記載の情報携帯装置。
【請求項２１】
前記権利の帰属を示す情報が、
所定の場所への前記ユーザーの入場を許可する情報である
請求項１９に記載の情報携帯装置。
【請求項２２】
前記所定の場所が、
イベントの会場である
請求項２１に記載の情報携帯装置。
【発明の詳細な説明】
【０００１】
【発明の属する技術分野】
本発明は、情報管理装置及び情報携帯装置に関し、例えばコンサートのチケットを発行するシステムに適用することができる。本発明は、オフラインにより提供可能に、情報携帯装置に固有のコードにより権利の帰属を示す情報を暗号化し、少なくとも１度はオフラインの経路を経るようにしてこの暗号化した情報を提供することにより、コンサートチケット等の金銭的価値を有する権利の帰属を示す情報に関して、この情報がユーザーの手元に渡るまでの流通を簡略化し、さらにはユーザーの手元に渡った後の管理を簡略化することができるようにする。
【０００２】
【従来の技術】
従来、コンサート等のチケットについては、販売店における受け付けにより、又は電話予約による受け付けによりサーバーをアクセスして発行し、これにより１つの座席番号に対する重複したチケットの発売等を防止するようになされている。
【０００３】
このためユーザーにおいては、販売店にて直接購入する場合には、販売店にて座席の有無を確認してチケットの発行を受けて購入するようになされている。また電話予約による場合には、電話にて予約した後、郵送によりチケットを受け取るようになされ、又は販売店に出向いて予約番号の確認によりチケットを購入するようになされている。
【０００４】
【発明が解決しようとする課題】
ところでこのように販売店にてチケットを発行する場合、各販売店にチケットの発行設備を設ける必要がある。また予約による郵送の場合、郵送のための種々の設備、作業が必要になる。これらにより従来方式によるチケット販売方式においては、ユーザーにチケットが手渡されるまでの流通に負担がかかる問題があった。
【０００５】
またユーザーの手元に渡った後においても、管理が煩雑な問題がある。すなわち１人のユーザーが数人分のチケットを手配して友人に配る場合、チケットを購入したユーザーにおいては、いちいちこの友人に会ってチケットを手渡す必要がある。また友人に会えない場合には、郵送等により配付する必要があり、この場合、実際に友人の手元に届くまでに時間、費用を要し、紛失等の事故も完全に防止できない。また、都合により購入したチケットを第３者に譲渡する場合にも、同様に、譲渡に時間、費用を要し、紛失等の事故の恐れがある。またチケット自体を紛失した場合には、何ら救済を受けることが困難で、結局、コンサートに行けなくなってしまう。
【０００６】
このような問題を解決する１つの方法として、パーソナルコンピュータを使用したアクセスにより、ユーザーの手元にてＩＣカードに種々の情報を記録してチケットを販売する方法が考えられる。すなわちこの方法の場合、コンサート等に関する情報を紙に印字して作成するチケットに代えて、コンサートに関する情報をＩＣカードに記録することによりコンサートのチケットを販売する方法であり、オンラインで処理できることにより、ユーザーの手元に届くまでの流通を簡略化することができる。
【０００７】
しかしながらこの方法の場合、パーソナルコンピュータと、このパーソナルコンピュータに接続可能なＩＣカードのリーダライラが必要になる。またこのような設備を有していないユーザーにおいては、結局、このような設備を有している販売店に出向かなければならない。さらにユーザーの手元に渡った後においては、第３者への譲渡等が困難になる。
【０００８】
本発明は以上の点を考慮してなされたもので、コンサートチケット等の金銭的価値を有する権利の帰属を示す情報に関して、この情報がユーザーの手元に渡るまでの流通を簡略化し、さらにはユーザーの手元に渡った後の管理を簡略化することができる情報管理装置及び情報携帯装置法を提案しようとするものである。
【０００９】
【課題を解決するための手段】
かかる課題を解決するため請求項１の発明においては、情報管理装置に適用して、情報携帯装置に固有のコードを用いて、権利の帰属を示す情報を暗号化し、情報携帯装置側におけるテンキーの操作により情報携帯装置に入力可能に数字列による暗号化情報を生成し、音声により、暗号化情報をユーザーに提供する。
【００１０】
また請求項１１の発明においては、情報携帯装置に適用して、情報携帯装置に固有のコードにより情報携帯装置側におけるテンキーの操作により入力可能に数字列による暗号化情報に変換され、音声により提供されてなる暗号化情報について、キー操作により入力を受け付ける入力手段と、固有のコードにより、この暗号化情報の暗号化を解除して前記権利の帰属を示す情報を出力する暗号化解除手段と、この権利の帰属を示す情報を記録する記録手段と、所定のアクセス手段により記録手段に記録した前記権利の帰属を示す情報を出力する情報出力手段とを備えるようにする。
【００１１】
請求項１の構成によれば、情報携帯装置に固有のコードを用いて、権利の帰属を示す情報を暗号化して暗号化情報を生成することにより、第３者がこの暗号化情報を取得した場合にあっても、この暗号化情報の利用を防止することができる。またユーザー側において、情報携帯装置におけるキー操作により暗号化情報を情報携帯装置に入力することができ、これによりパーソナルコンピュータ等のオンランイ装置を有していない場合でも、例えば郵便、電話、電報等により暗号化情報を提供することができる。これによりこの情報がユーザーの手元に渡るまでの流通を簡略化することができる。さらにこのようにして情報携帯装置に記録した権利の帰属を示す情報にあっては、必要に応じてオンラインにより、またこの情報を取得した場合と同様の処理により、第３者に譲渡でき、また友人に配付することができ、これによりユーザーの手元に渡った後の管理を簡略化することができる。
【００１２】
請求項１１の構成において、暗号化情報にあっては、第３者による不正な使用を困難にすることができる。従って固有のコードにより、この暗号化情報の暗号化を解除して権利の帰属を示す情報を出力する暗号化解除手段と、この権利の帰属を示す情報を記録する記録手段と、所定のアクセス手段により記録手段に記録した権利の帰属を示す情報を出力する情報出力手段とを備えることにより、この暗号化情報を取得して権利の帰属を示す情報を記録することができ、これによりこの情報がユーザーの手元に渡るまでの流通を簡略化することができる。さらにこのようにして記録手段に記録した権利の帰属を示す情報にあっては、必要に応じてオンラインにより、またこの情報を取得した場合と同様の処理により、第３者に譲渡でき、また友人に配付することができ、これによりユーザーの手元に渡った後の管理を簡略化することができる。
【００１３】
【発明の実施の形態】
以下、適宜図面を参照しながら本発明の実施の形態を詳述する。
【００１４】
（１）第１の実施の形態
（１−１）第１の実施の形態の構成
図１は、本発明の第１の実施の形態に係るチケット流通システムを示すブロック図である。このチケット流通システム１は、コンサート等のイベント会場に入場する権利の情報を管理する情報流通システムである。このためにチケット管理センタ２は、ユーザーにチケットを販売し、またチケットのキャンセルを受け付ける。
【００１５】
すなわちこのチケット管理センタ２において、コントローラ３は、電話回線を利用したユーザーからのアクセスに応じて、後述する処理手順を実行することにより、予約サーバー４をアクセスしてコンサートのチケットを販売する。また同様のユーザーからの要求により、販売したチケットのキャンセルを受け付ける。
【００１６】
なおコントローラ３は、電話回線が接続されると、音声によるガイドをユーザーに提供し、このガイドに従ったユーザーによる電話機６のテンキーの操作によりユーザーからのアクセスを受け付ける。またコントローラ３は、電話回線を介して実行されるユーザーとの間の会話によるオペレータの操作によっても、さらには郵便、電子メールを読み取って実行されるオペレータの操作によっても、ユーザーからのアクセスを受け付ける。
【００１７】
さらにコントローラ３は、必要に応じて課金センタ７をアクセスし、これらチケットの販売に関する課金の処理を指示し、またキャンセルに対して払い戻しの処理を指示する。かくするにつき課金センタ７は、このようにしてチケットを販売したユーザーに対して課金の処理を実行し、またチケットをキャンセルしたユーザーに対する課金の処理を変更して払い戻しの処理を実行する。
【００１８】
予約サーバー４は、このチケット管理センタ２で管理するコンサート等に関して、コンサートの日時、場所、座席番号等を記録するサーバーであり、コントローラ３の制御により、これら記録した内容をコントローラ３に通知し、また各座席番号における販売の有無、販売した会員番号を記録する。なおここで会員番号は、このチケット管理センタ２に登録されたユーザーであり、各会員に配付されたＩＣカードに設定された固有の番号である。会員番号は、所定のチェックコードが付加されて構成され、これにより所定の演算処理により正しい会員か否かを判定できるようになされている。
【００１９】
エンコーダ／デコーダ５は、コントローラ３の制御により、ユーザーが購入したチケットに関するコンサート日時、座席番号等の情報（以下、コンサート情報と呼ぶ）をデータ圧縮した後、暗号化してチケットコードＴＣを生成し、このチケットコードＴＣをユーザーに通知する。
【００２０】
この処理において、エンコーダ／デコーダ５は、会員番号を用いてコンサート情報を暗号化することにより、各会員に固有の鍵情報によりコンサート情報を暗号化し、これにより安全性を確保して第３者の不正取得等を防止する。また後述するリーダライラ８の操作子に対応する数字の連続によりチケットコードＴＣを生成する。これによりエンコーダ／デコーダ５は、音声等のオフラインによりチケットコードＴＣをユーザーに提供できるようになされ、さらにこの通知によりリーダライラ８を操作して簡易にチケットコードＴＣを手入力できるようになされている。なおここでオフラインとは、チケット管理センタ２とＩＣカード９とを直接に又は間接的に接続して、チケット管理センタ２より送出したチケットコードＴＣを直接にＩＣカードに記録する場合を除く意味であり、例えばこの実施の形態のように、ユーザーの五感により把握可能に情報を伝達し、ユーザーの操作によりチケットコードＴＣをＩＣカード９に入力する場合である。
【００２１】
かくするにつきコンサート情報は、紙によるチケットに印刷される事項であり、この座席番号の座席にてコンサートを楽しむ権利が、このチケットを保持するユーザーに属することを示す情報であることにより、権利の帰属を示す情報である。これに対してチケットコードＴＣは、オフラインにより提供可能に生成された情報であって、少なくともユーザーが保持する情報携帯装置の一部であるリーダライラ８におけるキー操作により記録可能に、固有のコードを用いて、この権利の帰属を示す情報を暗号化して生成された暗号化情報である。
【００２２】
さらにこの処理において、エンコーダ／デコーダ５は、コンサート情報に所定のチェックコードを付加してチケットコードＴＣを生成する。ここでこのチェックコードは、会員番号及び又はコンサート情報を用いた所定のアルゴリズムにより生成されるコードであり、このようにして伝送されるチケットコードＴＣの正当性を示す検査用のコードである。これによりエンコーダ／デコーダ５は、第３者により不正に生成されたチケットコードＴＣによるコンサートの入場等を防止できるようになされている。
【００２３】
かくするにつきパーソナルコンピュータにリーダライラを接続して構成されるオンラインシステムにおいては、パーソナルコンピュータを必要とし、またインターフェースに費用を要する。しかしながら手入力によりチケットコードＴＣを入力する場合には、パーソナルコンピュータを必要とせず、またインターフェースも不要となる。これによりユーザー側８においては、簡易な構成によりチケットを取得することが可能となる。かくするにつきエンコーダ／デコーダ５は、このようにして生成したチケットコードＴＣにより音声合成回路を駆動し、これによりこのチケットコードＴＣを音声によりユーザーに通知する。
【００２４】
さらにエンコーダ／デコーダ５は、ユーザーより通知されるチケットコードＴＣをデコードしてコントローラ３に通知する。このときエンコーダ／デコーダ５は、チェックコードによりチケットコードＴＣの正当性を判定し、これにより第３者が不正に取得した権利の転売等を防止する。
【００２５】
なおチケット管理センタ２においては、１人のユーザーより複数枚のチケットが購入された場合、この枚数分だけチケットコードＴＣを発行する。また郵便による申し込みに対しては、所定の印刷手段により印刷して郵便によりチケットコードＴＣを発行し、また電子メールによる申し込みに対しては、同様の電子メールによりチケットコードＴＣを通知する。
【００２６】
ユーザー側においては、電話機６によりチケット管理センタ２をアクセスし、ここでユーザーの所望する処理をチケット管理センタ２に通知する。さらにこの通知に従ったチケット管理センタ２からの一連の音声による問い掛け応答することにより、チケットの購入を申し込んでチケットコードＴＣを音声により受領する。ユーザー側においては、リーダライラ８を操作してこのチケットコードＴＣをＩＣカード９に入力することにより、ＩＣカード９にコンサート情報を記録する。これによりユーザー側８においては、このＩＣカード９をコンサート会場に携帯し、入場の際に、このＩＣカード９の内容についてチェックを受けることにより、このコンサートを楽しむことができるようになされている。
【００２７】
また必要に応じて同様のアクセスにより、チケット管理センタ２をアクセスしてチケットをキャンセルできるようになされている。
【００２８】
図２は、このリーダライラ８とＩＣカード９とを示す斜視図である。リーダライラ８及びＩＣカード９は、共にＪＩＳで規定されたカードの大きさにより薄板形状に構成される。これらリーダライラ８及びＩＣカード９は、シート状の配線基板に集積回路のチップを実載した後、上下を保護シートに覆って作成される。かくするにつきＩＣカード９は、非接触型のメモリカードであり、リーダライラ８は、このＩＣカード９に電力を供給すると共に、ＩＣカード９に情報を記録し、またＩＣカード９に記録した情報を確認する装置である。
【００２９】
すなわちリーダライラ８は、ＩＣカード９の上に重ねるように配置することにより内蔵のアンテナがＩＣカード９のアンテナと電磁気的に結合し、これにより駆動用の電源をＩＣカード９に供給する。さらにこの状態でリーダライラ８は、上面側に配置したテンキー８Ａを操作することにより、ＩＣカード９にこれらテンキー８Ａの操作を通知し、これによりＩＣカード９の動作モードを設定する。さらにリーダライラ８は、続くテンキー８Ａの操作によりＩＣカード９に情報を記録し、またＩＣカード９の制御によりＩＣカード９より出力される情報を液晶表示部８Ｂに表示する。これら一連の処理によりリーダライラ８は、音声により受け取ったチケットコードＴＣによるコンサート情報をＩＣカード９に記録し、またユーザーによるチケットのキャンセルに応動してＩＣカード９の内容を更新するようになされている。またユーザーが纏めて購入したチケットを友人等に配布できるようになされている。
【００３０】
すなわちリーダライラ８において（図１）、バッテリー１１は、リーダライラ８及びＩＣカード９の駆動用電源である。変復調回路１２は、コントローラ１０の制御により所定の高周波信号によりアンテナ１３を駆動してＩＣカード９に動作用電源を供給する。このとき変復調回路１２は、コントローラ１０の制御により、この高周波信号の振幅を変調し、これによりテンキー８Ａの操作をＩＣカード９に通知する。またこのＩＣカード９側のアンテナ１４とこのアンテナ１３との電磁気的な結合による高周波信号の振幅変化を検出することによりＩＣカード９より送出された情報を受信してコントローラ１０に通知する。
【００３１】
コントローラ１０は、リーダライラ８の動作を制御する制御回路であり、図３に示す処理手順の実行によりテンキー８Ａの操作をＩＣカード９に通知し、またＩＣカード９に記録されたコンサート情報、チケットコードＴＣ等を表示する。すなわちコントローラ１０は、テンキー８Ａが操作されると、各回路ブロックに対してバッテリー１１による電源の供給を開始し、これにより動作を立ち上げる。このようにして動作を立ち上げると、コントローラ１０は、ステップＳＰ１からステップＳＰ２に移り、変復調回路１２を制御してアンテナ１３を駆動することにより、ＩＣカード９への電力の供給を開始すると共に、ＩＣカード９に接続を呼びかける。
【００３２】
続いてコントローラ１０は、ステップＳＰ３に移り、変復調回路１２からの通知を確認することにより、この呼びかけに対するＩＣカード９からの応答の有無を検出し、ここで応答が無い場合には、ステップＳＰ２に戻る。これによりコントローラ１０は、ステップＳＰ２−ＳＰ３−ＳＰ２の処理手順を繰り返してＩＣカード９に接続を呼びかけ、ＩＣカード９より応答があると、ステップＳＰ３からステップＳＰ４に移る。
【００３３】
ここでコントローラ１０は、ＩＣカード９との間で所定のコードを送受することにより相互認証の処理を実行し、続くステップＳＰ５において、相互認証が正しく実行されたか否か判断する。ここで否定結果が得られると、コントローラ１０は、応答した通信対象がＩＣカード９とは異なるものと判断できることにより、ステップＳＰ２に戻り、改めてＩＣカード９に対して接続を呼びかける。
【００３４】
これに対してステップＳＰ５において肯定結果が得られると、コントローラ１０は、ステップＳＰ６に移り、テンキー８Ａの操作をＩＣカード９に通知する。これによりリーダライラ８は、ＩＣカード９の動作を切り換え、さらにはチケットコードＴＣの入力等の処理を実行できるようになされている。なおここでこの通知は、テンキー８Ａが操作される毎に変復調回路１２を駆動して操作されたテンキー８ＡのコードをＩＣカード９に通知してＩＣカード９から応答を確認することにより実行される。なおコントローラ１０は、このとき操作されたテンキー８Ａを液晶表示部８Ｂに表示する。
【００３５】
このようにして一連のテンキー８Ａの操作を通知してＩＣカード９においてテンキー８Ａによる入力が終了したと判断されると、コントローラ１０は、ＩＣカード９からの通知によりステップＳＰ７に移り、ＩＣカード９から表示情報を受信する。さらにコントローラ１０は、ステップＳＰ８に移り、操作されたテンキー８Ａの表示に代えて、この表示情報による表示を液晶表示部８Ｂに表示する。これによりコントローラ１０は、例えばユーザーがチケットを購入してチケットコードＴＣを入力する場合、ＩＣカード９の動作モードがチケットコードＴＣの入力モードへの切り換ったことを確認できるようになされている。またこのような動作モードの切り換えにより、ＩＣカード９に記録されたチケットコードＴＣ、該当するコンサートの日時、座席番号等を確認できるようになされ、さらに例えば友人にチケットを配付する場合、チケットをキャンセルする場合には、友人、チケット管理センタ２に通知するチケットコードＴＣ、さらにはＩＣカード９に記録された会員番号を確認できるようになされている。
【００３６】
コントローラ１０は、続いてステップＳＰ９に移り、ＩＣカード９からの通知により、又はユーザーの操作により、一連の処理が終了したか否か判断し、ここで否定結果が得られるとステップＳＰ２に戻る。これによりコントローラ１０は、動作モードの設定に続いて、実際にチケットコードＴＣの入力等の処理を実行できるようになされ、さらには複数のチケットコードＴＣを順次入力することがきるようになされている。
【００３７】
これに対してステップＳＰ９において肯定結果が得られると、コントローラ１０は、ステップＳＰ１０に移り、この処理手順を終了する。
【００３８】
ＩＣカード９において（図１）、変復調回路１６は、アンテナ１４に誘起される高周波信号の振幅変化を検出することによりリーダライラ８より送出された情報を受信してエンコーダ／デコーダ１７に通知する。また変復調回路１６は、エンコーダ／デコーダ１７を介して入力される情報に応じてアンテナ１４に誘起される高周波信号の振幅を変化させ、これによりリーダライラ８に対して種々の情報を送出する。
【００３９】
リードオンリメモリ（ＲＯＭ）１８は、ユーザーに固有の番号である会員番号を保持する。エンコーダ／デコーダ１７は、コントローラ１９の制御により、リードオンリメモリ１８に保持された会員番号により変復調回路１６で受信した情報を復調し、これによりリーダライラ８よりチケットコードＴＣが入力された場合には、このチケットコードＴＣよりコンサート情報を復調してコントローラ１９に通知する。またエンコーダ／デコーダ１７は、これとは逆にコントローラ１９の制御によりコンサート情報を暗号化してチケットコードＴＣを生成し、このチケットコードＴＣを変復調回路１６に出力する。これによりエンコーダ／デコーダ１７は、纏めて購入したチケットを友人等に配付する場合、チケットをキャンセルする場合には、チケットコードＴＣを生成してリーダライラ８に出力する。
【００４０】
フラッシュメモリ２０は、コントローラ１９の制御により、このようにして得られたコンサート情報、チケットコードＴＣを記録し、またコンサート情報の更新履歴を記録する。
【００４１】
コントローラ１９は、このＩＣカード９の動作を制御する制御回路であり、後述する処理手順の実行により、チケット管理センタ２により発行されたチケットコードＴＣによるコンサート情報をフラッシュメモリ２０に記録し、またチケットの配付、転売等における一連の処理を実行する。
【００４２】
これに対して入場流通システム２１は、駅の自動改札機に類似の構成による改札機と、この改札機におけるユーザーの入場を制御するパーソナルコンピュータとにより構成され、各コンサート会場の入り口に配置される。入場流通システム２１は、この改札機に上述したリーダライラ８に類似の構成に係るリーダライラが配置され、これによりこのリーダライラでユーザーの携帯するＩＣカード９よりコンサート情報、チケットコードＴＣを読み取る。入場流通システム２１は、この読み取ったコンサート情報、チケットコードＴＣの正当性をパーソナルコンピュータにより判定し、この判定結果によりチケットを所有するユーザーに限り、コンサート会場への入場を許可する。
【００４３】
（１−２）チケットの購入処理
図４は、チケット管理センタ２におけるコントローラ３について、チケット販売時の処理手順を示すフローチャートである。コントローラ３は、ユーザーの購入申し込みに係るアクセスによりステップＳＰ１１からステップＳＰ１２に移り、図５において矢印Ａにより示すように、ユーザーから会員番号を受け付ける。なおこの図５においては、説明の簡略化のためにこの会員番号を＃０００１とする。このときコントローラ３は、この会員番号に付加されたチェックコードにより会員番号の正当性を判断し、正しい会員番号でない場合、処理を終了する。
【００４４】
これに対して会員番号が正しい場合、コントローラ３は、続いてステップＳＰ１３に移り、ユーザーが希望するコンサートの日時、アーチスト名、会場、座席番号を受け付ける。なおコントローラ３は、このとき予約サーバー４をアクセスしてコンサートの日時、会場、空いている座席番号をユーザーに通知した後、ユーザーの選択によりこれらの情報を取得する。
【００４５】
続いてコントローラ３は、このようにして確認したコンサートについて、最終的にユーザーにより購入の意思表示があると、ステップＳＰ１４に移り、これらの座席番号等によりコンサート情報を作成する。さらにこのコンサート情報、会員番号によりエンコーダ／デコーダ５を駆動してコンサート情報を暗号化し、チケットコードＴＣを生成する。さらにこのときコントローラ３は、コンサート情報に所定のチェックコードを付加してチケットコードＴＣを生成する。なお図５においては、９９９５２０４３によるチケットコードＴＣが生成されていることになる。
【００４６】
コントローラ３は、続いてステップＳＰ１５に移り、このチケットコードＴＣをユーザーに通知し、さらにこのチケットコードＴＣに係る座席番号について、予約サーバー４をアクセスして座席の販売を記録する。これによりコントローラ３は、ユーザーによるチケットの購入申し込みに対して、チケットコードＴＣの発行によりチケットを販売し、ステップＳＰ１６に移ってこの処理手順を終了する。
【００４７】
かくしてチケット購入時は、図５において矢印Ｂ及びＣにより示すように、このようにして取得されたチケットコードＴＣがリーダライラ８を介してＩＣカード９に入力されることになる。
【００４８】
これらによりチケット管理センタ２は、予約サーバー４に記録されたイベントに関する権利の情報を更新することにより、このユーザーへの移転を記録すると共に、この移転してなる権利の帰属を示す情報をユーザーに提供する情報管理装置を構成し、予約サーバー４は、イベント会場に入場する権利の情報を保持する情報保持手段を構成する。またコントローラ３は、予約サーバー４をアクセスして権利の情報を更新することにより、該権利のユーザーへの移転を記録するアクセス手段を構成し、またエンコーダ／デコーダ５は、オフラインにより提供可能に、情報携帯装置に固有のコードを用いて、権利の帰属を示す情報を暗号化して暗号化情報を生成する暗号化手段を構成する。また図示しない電話機６との通話手段、郵便の印刷手段等は、少なくとも１度はオフラインの経路を経るように、暗号化情報をユーザーに提供する情報提供手段を構成する。
【００４９】
図６は、このようにしてチケットコードＴＣが入力された場合に、ＩＣカード９におけるコントローラ１９の処理手順を示すフローチャートである。なお以下のＩＣカード９側コントローラ１９の説明において、図３について説明したリーダライラ８の呼びかけ、相互認証に対応する処理手順については、説明を省略する。
【００５０】
すなわちコントローラ１９は、リーダライラ８より電源の供給が開始されて動作を立ち上げると、ステップＳＰ２１からステップＳＰ２２に移り、リーダライラ８におけるテンキー８Ａの操作によるコードを入力する。続いてコントローラ１９は、ステップＳＰ２３に移り、ここでこの入力されたコードがチケットコードＴＣの入力を指示するコードが否か判断する。ここで否定結果が得られると、コントローラ１９は、ステップＳＰ２４に移り、入力されたコードに従った処理を実行することにより、後述する配付、キャンセルに係る処理等を実行した後、ステップＳＰ２５に移ってこの処理手順を終了する。なおコントローラ１９は、このステップＳＰ２４における入力されたコードに対応する処理により、例えばフラッシュメモリ２０に記録された内容をリーダライラ８で表示してユーザーにより例えば会員番号、記録されたチケットコードＴＣ等を確認できるようになされている。
【００５１】
これに対して入力されたコードがチケットコードＴＣの入力を指示するコードの場合、コントローラ１９は、ステップＳＰ２３からステップＳＰ２６に移り、リーダライラ８よりチケットコードＴＣを取得する。なおコントローラ１９は、リーダライラ８にメッセージの表示を指示し、これによりユーザーによるテンキー８Ａによる操作がチケットコードＴＣの入力処理を選択したものであることをユーザーに告知する。さらにコントローラー１９は、続いて表示の切り換えを指示し、テンキー８Ａの操作によるチケットコードＴＣの入力をユーザーに促す。
【００５２】
このようにしてチケットコードＴＣを取得すると、コントローラ１９は、フラッシュメモリ２０に記録された履歴により、このようにして取得したチケットコードＴＣが、過去に入力されて第３者に配付されたものの場合、この処理を終了する。これによりコントローラ１９は、ユーザーの不正によるチケットの２重、３重の転売等を防止するようになされている。
【００５３】
続いてコントローラ１９は、ステップＳＰ２８に移り、エンコーダ／デコーダ１７の動作を制御して会員番号によりチケットコードＴＣをデコードし、これにより暗号化されて伝送されたコンサート情報を取得する。
【００５４】
続いてコントローラ１９は、ステップＳＰ２９に移り、チケットコードＴＣの生成時に付加されたチェックコードにより、復号されたコンサート情報を判定し、チケットコードＴＣの正当性を判定する。コントローラ１９は、この判定結果よりチケットコードＴＣがチケット管理センタ２で発行されたものでないと判断される場合、処理を中止し、これにより第３者により不正に発行されたチケットコードＴＣを排除する。
【００５５】
これに対してチケットコードＴＣが正しくチケット管理センタ２で発行されたものと判断されると、コントローラ１９は、このようにしてデコードしたコンサート情報をチケットコードＴＣと共にフラッシュメモリ２０に記録した後、ステップＳＰ３０に移る。
【００５６】
ここでコントローラ１９は、このコンサート情報による表示情報をリーダライラ８に送出して表示を指示した後、ステップＳＰ２５に移ってこの処理手順を終了する。
【００５７】
これによりユーザーにおいては、自己の保有するＩＣカード９に、所望するコンサートのコンサート情報、チケットコードＴＣが記録され、コンサート会場にて入場流通システム２１のリーダライラにＩＣカード９を近づけるだけで入場が許可されるようになされている。
【００５８】
これらによりリーダライラ８及びＩＣカード９は、情報携帯装置を構成し、リーダライラ８は、ＩＣカード９のアンテナ１４、変復調回路１６と共に、キー操作により暗号化情報であるチケットコードＴＣの入力を受け付ける入力手段を構成し、エンコーダ／デコーダ１７は、固有のコードである会員番号によりこの暗号化情報の暗号化を解除して権利の帰属を示す情報であるコンサート情報を出力する暗号化解除手段を構成する。またフラッシュメモリ２０は、この暗号化解除手段により出力される権利の帰属を示す情報を記録する記録手段を構成する。さらに変復調回路１６は、アクセス手段である入力流通システムに配置されたリーダライラにより、記録した権利の帰属を示す情報を出力する情報出力手段を構成する。
【００５９】
（１−３）チケット配付の処理
図７は、ユーザーが纏めて購入したチケットを友人等に配付する場合に、ＩＣカード９のコントローラ１９が実行する処理手順を示すフローチャートである。コントローラ１９は、ユーザーによるテンキー８Ａの操作によりチケット配付の処理が選択されると、図６について上述したステップＳＰ２４において、この処理手順を実行する。
【００６０】
この処理において、コントローラ１９は、ステップＳＰ３１からステップＳＰ３２に移り、図８に示すように、配付相手の会員番号の入力を受け付ける。なおこの場合もコントローラ１９は、リーダライラ８にメッセージの表示を指示し、ユーザーによるテンキー８Ａの操作がチケットコードＴＣの配付処理を選択したものであることをユーザーに告知する。さらにコントローラ１９は続いて表示の切り換えを指示し、テンキー８Ａの操作による会員番号の入力を促す。図８に示すように、この実施の形態において、コントローラ１９は、会員番号として＃０００３を取得するものとする。
【００６１】
このようにして配付先会員の会員番号を取得すると、コントローラ１９は、ステップＳＰ３３に移り、配付するチケットコードＴＣの入力を受け付ける。なおこのときコントローラ１９は、ユーザーによるテンキー８Ａの操作に応動して、記録したチケットコードＴＣを表示し、これによりユーザーによるチケットコードＴＣの入力を手助けする。
【００６２】
続いてコントローラ１９は、ステップＳＰ３４に移り、会員番号に設定されたチェックコードにより入力された会員番号の正当性を判定する。さらに続くステップＳＰ３５において、取得したチケットコードの正当性をチェックコードにより判定する。コントローラ１９は、これらの判定において、正当性が疑われる場合、この処理手順を終了する。
【００６３】
これに対してこれら会員番号、チケットコードＴＣが正しいものと判定されると、コントローラ１９は、ステップＳＰ３６に移る。ここでコントローラ１９は、このチケットコードＴＣによるコンサート情報にチェックコードを付加した後、エンコーダ／デコーダ１７を駆動して配付先の会員番号（＃０００３）により暗号化する。これによりＩＣカード９は、チケット管理センタ２において、この配付先の会員に対して生成したと同一のチケットコードＴＣＢを生成する。なお図８においては、チケットコードＴＣＢとして１１１５８０６７が生成されたことになる。コントローラ１９は、このようにして生成したチケットコードＴＣＢの表示をリーダライラ８に指示する。
【００６４】
続いてコントローラ１９は、ステップＳＰ３７に移り、このチケットコードＴＣＢに係るコンサート情報、元のチケットコードＴＣをフラッシュメモリ２０より削除する。さらにコントローラ１９は、このチケットコードＴＣの削除、チケットコードＴＣＢを履歴に記録した後、ステップＳＰ３９に移ってこの処理手順を終了する。かくするにつきコントローラ１９は、チケットコードＴＣの入力処理において上述したように、このようにして記録した履歴により、チケットの２重、３重の譲渡等を防止することになる。なおコントローラ１９は、テンキー８Ａの操作により必要に応じてこの履歴をリーダライラ８で表示できるように構成され、これによりこのようにして一度表示したチケットコードＴＣＢを配付先のユーザーがＩＣカードに入力し忘れたような場合でも、改めて通知して入力できるようなされている。
【００６５】
これらにより図８に示すように、チケットの配付を受けるユーザーにおいては、郵便、電話、電子メール等のオフラインにより、チケット管理センタ２よりチケットコードＴＣの発行を受けた場合と同様に、リーダライラ８Ｂを用いてＩＣカード９ＢにチケットコードＴＣＢを入力して、コンサート会場に入場できるようになされている。
【００６６】
かくしてエンコーダ／デコーダ１７は、オフラインにより提供可能に、他の情報携帯装置であるＩＣカード９Ｂに固有のコードを用いて、記録手段に保持した権利の帰属を示す情報より第２の暗号化情報であるチケットコードＴＣＢを生成する暗号化手段を構成する。またコントローラ１９は、暗号化手段による暗号化に対応して、フラッシュメモリ２０に記録したコンサート情報等を消去することにより、対応する権利の帰属を示す情報を入場管理システム２１におけるリーダライラによってはアクセスすることができないように設定する制御手段を構成する。
【００６７】
（１−４）チケットのキャンセル
図９は、チケットのキャンセル時において、ＩＣカード９のコントローラ１９が実行する処理手順を示すフローチャートである。コントローラ１９は、ユーザーによるテンキー８Ａの操作によりチケットをキャンセルする処理が選択されると、図６について上述したステップＳＰ２４において、この処理手順を実行する。なおこの場合、例えばユーザーのキー操作により＃９９９９が入力された場合である。
【００６８】
この処理において、コントローラ１９は、ステップＳＰ４１からステップＳＰ４２に移り、図１０に示すように、キャンセルするチケットコードＴＣの入力を受け付ける。なおこの場合もコントローラ１９は、リーダライラ８にメッセージの表示を指示し、ユーザーによるテンキー８Ａによる操作がチケットのキャンセルを選択したものであることをユーザーに告知する。さらに続いてリーダライラ８に表示の切り換えを指示し、テンキー８Ａの操作によるチケットコードＴＣの入力を促す。図１０に示すように、この実施の形態において、コントローラ１９は、チケットコードＴＣとして９９９５２０４３を取得するものとする。
【００６９】
続いてコントローラ１９は、ステップＳＰ４３に移り、チケットコードＴＣに設定されたチェックコードにより入力されたチケットコードＴＣの正当性を判定する。コントローラ１９は、この判定において、正当性が疑われる場合、この処理手順を終了する。
【００７０】
これに対してこのチケットコードＴＣが正しいものと判定されると、コントローラ１９は、ステップＳＰ４４に移る。ここでコントローラ１９は、このチケットコードＴＣによるコンサート情報にチェックコードを付加してデータ圧縮した後、エンコーダ／デコーダ１７を駆動してチケットコードＴＣＸを生成する。なおこの場合、コントローラ１９は、キャンセルするチケットのコンサート情報の表示をリーダライラ８に指示し、ユーザーにより取り消しが指示されると、この処理手順を終了することにより、ユーザーが誤ってチケットをキャンセルしないようにする。因みに、図１０においては、チケットコードＴＣＸとして８８８４１９３２が生成されたことになる。コントローラ１９は、このようにして生成したチケットコードＴＣＸの表示をリーダライラ８に指示する。
【００７１】
続いてコントローラ１９は、ステップＳＰ４５に移り、このチケットコードＴＣＸに係るコンサート情報、元のチケットコードＴＣをフラッシュメモリ２０より削除する。さらにコントローラ１９は、続いてステップＳＰ４６に移ってこの処理手順を終了する。
【００７２】
かくしてユーザーにおいては、このようにしてリーダライラ８に表示されたキャンセルに係るチケットコードＴＣＸを、会員番号と共に電話、郵便、電子メールによりチケット管理センタ２に通知することになる。
【００７３】
図１１は、このチケットのキャンセルについて、チケット管理センタ２におけるコントローラ３の処理手順を示すフローチャートである。コントローラ３は、ユーザーからのキャンセルの申し込みにより、ステップＳＰ５１からステップＳＰ５２に移り、図１０に示すように、ユーザーから会員番号、チケットコードＴＣＸを受け付ける。
【００７４】
続いてコントローラ３は、ステップＳＰ５３に移り、チェックコードよりこの会員番号、チケットコードＴＣＸの正当性を判断し、正しい会員番号、チケットコードＴＣＸでない場合、処理を終了する。
【００７５】
これに対して会員番号、チケットコードＴＣＸが正しい場合、コントローラ３は、続いてステップＳＰ５４に移り、エンコーダ／デコーダ５によりチケットコードＴＣＸの暗号化を解除し、このチケットコードＴＣＸに係るコンサート情報を復号する。さらにコントローラ３は、予約サーバー４をアクセスし、このコンサート情報に係るコンサート、座席番号については、販売可能とするように、予約サーバー４の内容を更新する。さらにコントローラ３は、課金センタ７をアクセスし、購入時におけるユーザーとの契約に応じて、このチケットのキャンセルに対する払い戻しの処理を実行する。なおこの場合、課金センタ７は、購入時における課金の金額を変更することになる。
【００７６】
このようにして予約サーバー４をアクセスして販売の設定を変更する際に、コントローラ３は、対応する座席番号が販売済みになっていることを確認して、さらには過去の記録より、このチケットコードＴＣＢに係るチケットが既にこのユーザーによりキャンセルされていないことを確認して、設定を変更する。これによりコントローラ３は、チケットコードＴＣの２重、３重のキャンセルによる払い戻しの不正取得を防止するようになされている。
【００７７】
このようにすると、コントローラ３は、ステップＳＰ５５に移って、この処理手順を終了する。これにより例えばコンサートまでに時間的な余裕がある場合等にあっては、チケット管理センタ２においては、このキャンセルされたチケットを改めて第３者に販売することができ、これによりユーザーにおいては、購入したチケットを第３者に譲渡することが可能となる。また第３者においては、単に直前のキャンセルに係るチケットを購入できるだけでなく、事前に購入した座席に比してさらに良い座席にチケットを買い換えることもできる。
【００７８】
かくしてこの場合、ＩＣカード９のコントローラ１９は、記録手段であるフラッシュメモリ２０に保持した権利の帰属を示す情報より、チケット管理センタ２への該権利の移転を求める情報を生成する情報生成手段を構成する。またエンコーダ／デコーダ１７は、オフラインにより提供可能に、固有のコードにより、移転を求める情報を暗号化して移転の暗号化情報であるチケットコードＴＣＸを生成する暗号化手段を構成する。さらにコントローラ３は、元のコンサート情報、チケットコードＴＣを入場管理システム２１のリーダライラによってはアクセスすることができないようにする制御手段を構成する。また変復調回路１６、アンテナ１４は、リーダライラ８と共に、少なくとも１度はオフラインの経路を経て提供するように、移転の暗号化情報を出力する出力手段を構成する。
【００７９】
これに対してチケット管理センタ２において、エンコーダ／デコーダ５は、この移転の暗号化情報であるチケットコードＴＣＸの暗号化を解除する暗号化解除手段を構成する。
【００８０】
（１−５）第１の実施の形態の動作
以上の構成において、このチケット流通システム１においては（図１及び図５）、ユーザーがチケットの購入を希望する場合であって、電話機６を操作してチケット管理センタ２に回線を接続すると、このチケット管理センタ２のコントローラ３の制御により音声によるガイドがユーザーに提供される。このガイドにより例えば提供可能なコンサートの案内、座席の案内がユーザーに告知され、このガイドに従った電話機６におけるテンキーの操作により、チケット管理センタ２からチケットコードＴＣが発行される。
【００８１】
また電話機６を介して音声によりユーザーが応答する場合、郵送による申し込みの場合等には、オペレータの入力によりチケット管理センタ２でチケットコードＴＣが発行される。さらにチケットコードＴＣは、電話機６を介して音声によりユーザーに通知され、また郵送による申し込みの場合には郵送により、さらに電子メールによる申し込みの場合には電子メールによりユーザーに通知される。これによりチケットコードＴＣにおいては、少なくとも１度はオフラインの経路を経てユーザーに提供される。またこれらのチケットコードＴＣの発行に対応して、課金センタ７における課金が指示される。
【００８２】
このときチケット管理センタ２では、申し込みに係るコンサートの日時、会場、座席番号の情報によりコンサート情報が作成され、さらにユーザーに固有のコードである会員番号を用いた暗号化によりチケットコードＴＣが作成される。これによりチケット流通システム１では、音声、郵送、電子メール等によりこのチケットコードＴＣをユーザーに通知するようにした場合に、第３者が不正にチケットコードＴＣを取得した場合でも、この第３者による使用を禁止することができ、セキュリティーを確保することができる。
【００８３】
さらにチケット管理センタ２では、このようにしてチケットコードＴＣを生成する際に、会員番号に設定されたチェックコードにより会員番号の正当性を確認してチケットコードＴＣを生成することにより、この会員番号に係るユーザーに成り済ました第３者による不正なチケットの購入が防止される。
【００８４】
またコンサート情報にチェックコードを付加してチケットコードＴＣを生成することにより、第３者が不正に生成したチケットコードＴＣの流通が防止される。さらにこのようにコンサート情報にチェックコードを付加した後、データ圧縮してチケットコードＴＣを生成することにより、音声等によりチケットコードＴＣを伝達するにつき、チケットコードＴＣの長さを短くすることができ、これによりユーザーによるチケットコードＴＣの誤入力等を低減することが可能となる。
【００８５】
このようにしてチケットコードＴＣを生成する際に、オフラインにより提供可能に、すなわちこのチケットコードＴＣを入力する情報携帯装置の入力装置であるリーダライラ８において、このリーダライラ８のキー操作に入力可能に、このリーダライラ８のテンキー８Ａに対応する数字の配列によりチケットコードＴＣが生成される。これによりオフラインでチケットコードＴＣを提供して、リーダライラ８の操作によりチケットコードＴＣをＩＣカード９に入力することが可能となる。
【００８６】
これらによりこのチケット流通システム１では、パーソナルコンピュータ等のオンライン装置をユーザーが所有していない場合でも、郵便、電話、電報等により暗号化情報であるチケットコードＴＣを提供することができ、これによりこの情報がユーザーの手元に渡るまでの流通を簡略化することができる。すなわちユーザーにおいては、パーソナルコンピュータ等のオンライン機器を有していなくても所望の通信手段を用いて購入を申し込み、チケットコードＴＣを取得することができ、チケット管理センタ２においては、このユーザーの購入申し込みに対して対応する通信手段でチケットコードＴＣを通知してチケットの販売を完了することができる。従ってその分、紙によるチケットを販売する場合に比して格段的にチケットがユーザーに手元に渡るまでの流通を簡略化することができ、さらにはユーザーの利便を図ることができる。
【００８７】
またこのようにしてユーザーの手元に渡ったチケットコードＴＣは電子化して記録できることにより、この権利を第３者に譲渡する場合、まとめて購入した権利を配付する場合、さらには購入をキャンセルする場合にも、管理を簡略化することが可能となる。
【００８８】
すなわちこの場合、ユーザー側においては、ＩＣカード９の上にリーダライラ８を重ねた状態で、リーダライラ８のテンキー８Ａを操作して、ＩＣカード９の動作モードをチケットコードＴＣの入力モードに設定した後、続いてテンキー８Ａの操作によりチケットコードＴＣを入力することにより、このチケットコードＴＣがＩＣカード９のフラッシュメモリ２０に記録される。
【００８９】
このときＩＣカード９においては、リーダライラ８のアンテナ１３とＩＣカード９のアンテナ１４との電磁気的な結合により、リーダライラ８におけるテンキー８Ａの操作が通知され、またこの通知による液晶表示部８Ｂにおける表示の情報等がリーダライラ８に通知され、さらにはリーダライラ８からチケットコードＴＣが通知される。
【００９０】
このチケットコードＴＣは、ＩＣカード９のエンコーダ／デコーダ１７において暗号化が解除され、さらにデータ伸長され、これにより元のコンサート情報が復調される。さらにこのコンサート情報、チケットコードＴＣがフラッシュメモリ２０に記録される。
【００９１】
このときＩＣカード９においては、チケットコードＴＣに設定されたチェックコードによりチケットコードＴＣの正当性が判定され、これにより第３者が不正に生成したチケットコードの購入に係る不正なコンサートへの入場が防止される。また各ＩＣカード９に固有のコードによりチケットコードＴＣを生成することにより、第３者に不正に取得された場合でも、この第３者のＩＣカードには有効に情報を入力することが困難になり、このチケットコードＴＣによる不正なコンサートへの入場が防止される。
【００９２】
かくしてユーザーにおいては、このようにしてコンサート情報、チケットコードＴＣを記録してなるＩＣカード９を携帯してコンサート会場に出向くと、入場流通システム２１によるリーダライラでこのＩＣカード９に記録されたコンサート情報、チケットコードＴＣが読み出され、このコンサート情報、チケットコードＴＣが正しい場合にはこのコンサート会場への入場が許可される。これによりこのチケット流通システム１では、チケットを購入したユーザーが所望するコンサート会場に入場し、さらにコンサート情報に係る座席番号の座席によりコンサートを楽しむことが可能となる。
【００９３】
この実施の形態においてチケット流通システム１では、１人のユーザーが複数枚のチケットを購入する場合には、上述したチケットコードＴＣがこの枚数分だけチケット管理センタ２より発行される。このチケットコードＴＣは、チケットの購入を申し込んだユーザーのＩＣカード９でしか暗号化を解除できないことにより、ユーザーにおいては、この複数枚分のチケットコードＴＣをＩＣカード９に記録して保持することになる。これにより従来の紙によるチケットの場合に比してチケットの紛失を格段的に防止することができる。
【００９４】
かくするにつきこのチケット流通システム１において、このようにしてチケットの購入を依頼したユーザーにおいては、この場合、この複数枚分のチケットコードＴＣを入力したＩＣカード９のユーザーに同行して、コンサート会場に入場することになる。
【００９５】
しかしながらユーザーにおいては、このように同行できない場合もあり、このような場合には、チケットの購入を依頼したユーザーにチケットを渡すことが必要になる。すなわちチケットを配付することが必要になる。この場合、このチケット流通システム１では（図８）、購入した側において、リーダライラ８の操作により配付先の会員番号、配付するチケットコードＴＣをＩＣカード９に入力するとチケットコードＴＣＢが生成され、このチケットコードＴＣＢを配付先のユーザーに通知し、配付先において、チケット管理センタ２よりチケットを購入したと同一の操作を実行することにより、チケットコードＴＣＢ、コンサート情報が配布先のＩＣカードに記録され、これによりチケットを配付することができる。
【００９６】
このときチケット流通システム１では、チケット管理センタ２よりチケットコードＴＣを発行する場合と同様にオフラインにより提供できるように、配付先の情報携帯装置においてキー入力可能に、また配付先に固有のコードである会員番号により暗号化し、さらにはリーダライラ８にチケットコードＴＣを表示することにより、またこの表示を読み取ったユーザーの行動によるオフラインにより流通するように、チケットコードＴＣを生成することにより、簡易にチケットを配付することができる。すなわちこのチケットコードＴＣの表示を読み取ったユーザーにおいては、電話、電報、電子メール等、種々の通信手段により配布先のユーザーにチケットコードを通知することになる。従ってこの配付を受けるユーザーにおいては、オンラインにより設備を有していない場合でも、これらの通信手段を介してチケットコードＴＣＢを取得することができ、これによりユーザーの手元に渡った後のチケットの管理を簡略化することができる。またこの場合も、各ＩＣカード９に固有のコードによりチケットコードＴＣを生成することにより、第３者がチケットコードＴＣを不正に取得した場合には、この第３者のＩＣカードには有効に情報を入力することが困難になり、これによりこの場合でも、このチケットコードＴＣによる不正なコンサートへの入場を防止することができる。
【００９７】
すなわち配付元側にあっては、配付先の会員番号、配付するチケットコードＴＣの入力を受け、正当性を判断した後、対応するコンサート情報にチェックコードを付加してデータ圧縮し、この会員番号により暗号化してチケットコードＴＣＢが生成される。これによりチケット管理センタ２よりチケットを購入したと同一のチケットコードＴＣＢが生成される。さらにこのチケットコードＴＣＢがリーダライラ８に表示され、この表示を読み取ったユーザーにより配付先に通知される。これによりチケット管理センタ２よりチケットを購入したと同様にしてチケットコードＴＣＢが配付先に通知される。
【００９８】
配付先においては、チケット管理センタ２よりチケットを購入したと同様に、リーダライラ８Ｂを操作して、このチケットコードＴＣＢ、このチケットコードＴＣＢに係るコンサート情報がＩＣカード９Ｂのフラッシュメモリに記録される。
【００９９】
このときＩＣカード９において、会員番号の正当性、チケットコードＴＣの正当性をチェックしてチケットコードＴＣＢを生成することにより、このＩＣカード９を用いた不正なチケットコードＴＣＢの生成を防止することができ、また会員になりすました第３者によるチケットコードＴＣＢの不正の取得を防止することができる。
【０１００】
また配付先側において、チェックコードによりチケットコードＴＣＢの正当性を判定することにより、第３者が不正に生成したチケットコードＴＣＢの流通を阻止することができる。これらによりチケット流通システム１では、システムの信頼性を向上することができる。
【０１０１】
また配付元においては、このようにしてチケットコードＴＣＢを生成すると、この元のコンサート情報、チケットコードＴＣを削除し、これにより元のチケットコードＴＣを使用したコンサート会場への不正な入場が防止される。
【０１０２】
かくするにつき、このように音声、郵便等によりチケットコードＴＣを通知してチケットを販売する場合にあっては、ＩＣカード９に記録する前に、ユーザー側にてチケットコードＴＣの記録を失う場合も考えられる。しかしながらこのようにしてチケットコードＴＣによりチケットを販売する場合、チケット管理センタ２において、販売した会員番号、販売したチケットコード、コンサート情報等を記録に残すことができる。これによりこのようなチケットコードＴＣの紛失に係る場合にあっては、改めてチケットコードＴＣを通知して救済を図ることができる。
【０１０３】
しかしながらこのようにすると、チケットコードＴＣを紛失したとして、チケットコードＴＣの再発行を不正に受け、このチケットコードＴＣに係るチケットにより不正に利益を得る場合も考えられる。しかしながらこの場合、この実施の形態では、ＩＣカード９に履歴が記録され、この履歴により、チケットコードＴＣの再度の入力が困難となる。これにより、このようにチケットコードＴＣの紛失を救済する場合にあっても、第３者の不正を防止することができる。
【０１０４】
これに対してユーザーにおいては、所用によりコンサートに行けなくなる場合もある。このような場合に、このチケット流通システム１では（図１０）、チケットを購入したユーザーによるリーダライラ８の操作により、チケット管理センタ２でチケットコードＴＣを発行する場合と同様にして、ＩＣカード９でチケットをキャンセルするチケットコードＴＣＸが生成され、このチケットコードＴＣＸがチケット管理センタ２に通知される。
【０１０５】
すなわちＩＣカード９において、チケットをキャンセルするＩＤ、キャンセルするチケットコードＴＣの入力を受け付け、正当性が判断される。さらにチケットコードＴＣに係るコンサート情報にチェックコードが付加されてデータ圧縮された後、チケットをキャンセルするＩＤにより暗号化されてチケットコードＴＣＸが生成される。かくするにつき、このチケットをキャンセルするＩＤは、各ユーザーの会員番号と同様の、チケット管理センタ２の会員番号に該当することになる。
【０１０６】
さらにリーダライラ８にチケットコードＴＣＸが表示され、この表示を読み取ったユーザーの行動によるオフラインによりこのチケットコードＴＣＸがチケット管理センタ２に通知される。これによりチケットをキャンセルするユーザーにおいては、リーダライラ８に表示されたチケットコードＴＣＸを読み取って電話、電報、電子メール等、種々の通信手段によりチケット管理センタ２に通知してチケットをキャンセルすることができ、これによってもユーザーの手元に渡った後のチケットの管理を簡略化することができる。
【０１０７】
さらにこのときキャンセルするチケットコードＴＣについて正当性を判断してチケットコードＴＣＸを生成することにより、さらにはチェックコードを付加してチケットコードＴＣＸを生成することにより、不正に生成したチケットコードによるチケットのキャンセルを防止することができる。
【０１０８】
かくするにつき、このチケットコードＴＣＸを受け取ったチケット管理センタ２においては、このチケットコードＴＣＸの正当性を判断した後、予約サーバー４をアクセスして該当する座席番号の販売済みの設定を未販売の設定に変更することにより、このチケットのキャンセルを受け付けることになる。またこのキャンセルにより、課金センタ７をアクセスしてユーザーに対して払い戻しの処理を実行する。
【０１０９】
このようにしてキャンセルを受け付けるにつき、チケット管理センタ２においては、このようにしてキャンセルされたチケットを改めて販売することができ、これによりチケットの払い戻しによる損失を補うことができる。またユーザーにおいては、完売したチケットについても、キャンセル待ち等により入手することができ、さらには購入したチケットによる座席をグレードアップすることができ、これによりユーザーの利便を図ることができる。
【０１１０】
なお従来のチケット流通方式においては、不要なチケットを処分する場合には、いわゆる金券ショップに足を運んで買い取ってもらうことになる。またこのように完売したチケットを入手する場合、さらには購入したチケットによる座席をグレードアップする場合、各地に点在するいわゆる金券ショップを尋ね回ってチケットを購入し、さらにはインターネットにおけるいわゆる売ります、買いますのホームページで取引することになる。これらによりこのチケット流通システム１では、ユーザーの利便を格段的に向上することができる。
【０１１１】
またチケット管理センタ２側においては、このキャンセルの処理の際に予約サーバー６の記録によりキャンセルを受け付け、これによりチケットコードＴＣＢによる２重、３重のキャンセルが防止され、払い戻しの不正取得が防止される。
【０１１２】
かくするにつき、ユーザーにおいては、この場合、チケットをキャンセルした後、改めてチケットを購入することもでき、これによってもユーザーの利便を図ることができる。
【０１１３】
（１−６）第１の実施の形態の効果
以上の構成によれば、オフラインにより提供可能に、情報携帯装置に固有のコードにより権利の帰属を示す情報であるコンサート情報を暗号化し、少なくとも１度はオフラインの経路を経るようにこの暗号化した情報であるチケットコードＴＣを提供することにより、権利の帰属を示す情報であるコンサートチケットの情報に関して、この情報がユーザーの手元に渡るまでの流通を簡略化し、さらにはユーザーの手元に渡った後の管理を簡略化することができる。
【０１１４】
（２）他の実施の形態
なお上述の実施の形態においては、ユーザー間の通信によりチケットコードを配付する場合について述べたが、本発明はこれに限らず、チケット管理センタを仲介してチケットコードを配付するようにしてもよい。
【０１１５】
また上述の形態においては、チケットをキャンセルした場合、チケットを配布した場合、対応するコンサート情報をフラッシュメモリから消去することにより、入場管理システム２１のリーダライラによってはこのコンサート情報をアクセスすることができないようにする場合について述べたが、本発明はこれに限らず、履歴の記録によりアクセス困難としてもよい。
【０１１６】
また上述の実施の形態においては、エンコーダ／デコーダによりコンサート情報の暗号化を解除し、またコンサート情報を暗号化する場合について述べたが、本発明はこれに限らず、コントローラの処理によりこれら暗号化等の処理を実行してもよい。
【０１１７】
また上述の実施の形態においては、電話、郵便、電子メールによりチケットコードを送受する場合について述べたが、本発明はこれに限らず、必要に応じて併せてオンラインにより送受してもよい。
【０１１８】
また上述の実施の形態においては、入力手段であるリーダライラとＩＣカードとを別体に構成する場合について述べたが、本発明はこれに限らず、入力手段をＩＣカードと一体化するようにしてもよい。
【０１１９】
また上述の実施の形態においては、一部に非接触型のＩＣカードを適用して
情報携帯装置を構成する場合について述べたが、本発明はこれに限らず、例えば接触型ＩＣカード、ＰＤＡ（Personal Digital assistants ）、パーソナルコンピュータ、携帯電話、デジタルカメラ、デジタルビデオカメラ等、ディジタルによる情報を格納する種々の機器を情報携帯装置に広く適用することができる。
【０１２０】
さらに上述の実施の形態においては、電話による通信においては音声によりチケットコードを通知する場合、郵送、電子メールによる場合においては、文字の表示によりチケットコードを通知する場合について述べたが、本発明はこれに限らず、例えば図１２に示すように、リーダライラにマイク及びスピーカを配置し、このマイク及びスピーカを介した携帯電話との発信音の送受によりチケットコードを通知するようにしてもよい。
【０１２１】
また上述の実施の形態においては、ＩＣカード側にてチケットコードの正当性等を判断し、さらにコンサート情報をエンコード、デコードする場合について述べたが、本発明はこれに限らず、リーダライラ側で判断し、さらにはリーダライラ側で、コンサート情報をエンコード、デコードしてもよい。
【０１２２】
また上述の実施の形態においては、コンサート情報をデコードしてフラッシュメモリに記録する場合について述べたが、本発明はこれに限らず、チケットコードだけをフラッシュメモリに記録するようにし、必要に応じてチケットコードをデコードするようにしてもよい。
【０１２３】
また上述の実施の形態においては、コンサートの日時等と座席番号とによりコンサート情報を生成する場合について述べたが、本発明はこれに限らず、例えば単に座席がランク分けされているようなコンサートにあっては、コンサートの日時等とこの座席のランクによりコンサート情報を生成してもよい。
【０１２４】
また上述の実施の形態においては、予約の分、チケットコードを生成して通知する場合について述べたが、本発明はこれに限らず、予約の枚数も含めて１つのチケットコードを生成しても良く、さらには種々のコンサートに対するまとめた予約に対してして１つのチケットコードを生成してもい。
【０１２５】
また上述の実施の形態においては、コンサート会場に入場する権利であるチケットを管理する場合について述べたが、本発明はこれに限らず、プリペイドカード、交通機関の回数券、定期券等を管理する場合、さらには有価証券を管理する場合等にも広く適用することができる。
【０１２６】
また上述の実施の形態では、振幅変調により非接触で情報を送受するＩＣカードに本発明を適用する場合について述べたが、本発明はこれに限らず、種々の変調方式により情報を送受するＩＣカード、接触型のＩＣカードを使用する場合にも広く適用することができる。
【０１２８】
【発明の効果】
上述のように本発明によれば、オフラインにより提供可能に、情報携帯装置に固有のコードにより権利の帰属を示す情報を暗号化し、少なくとも１度はオフラインの経路を経るようにしてこの暗号化した情報を提供することにより、コンサートチケット等の金銭的価値を有する権利の帰属を示す情報に関して、この情報がユーザーの手元に渡るまでの流通を簡略化し、さらにはユーザーの手元に渡った後の管理を簡略化することができる
【図面の簡単な説明】
【図１】本発明の実施の形態に係るチケット流通システムを示すブロック図である。
【図２】図１のチケット流通システムに適用されるリーダライラとＩＣカードとを示す斜視図である。
【図３】図１のチケット流通システムに適用されるリーダライラのコントローラの処理手順を示すフローチャートである。
【図４】図１のチケット流通システムにおいて、チケット販売時におけるチケット管理センタのコントローラの処理手順を示すフローチャートである。
【図５】チケット販売時における情報の伝達を示す略線図である。
【図６】図１のチケット流通システムにおいて、チケット販売時におけるＩＣカードのコントローラの処理手順を示すフローチャートである。
【図７】図１のチケット流通システムにおいて、チケットの配付時におけるＩＣカードのコントローラの処理手順を示すフローチャートである。
【図８】チケット配付時における情報の伝達を示す略線図である。
【図９】図１のチケット流通システムにおいて、チケットのキャンセル時におけるＩＣカードのコントローラの処理手順を示すフローチャートである。
【図１０】チケットのキャンセル時における情報の伝達を示す略線図である。
【図１１】図１のチケット流通システムにおいて、チケットのキャンセル時におけるチケット管理センタのコントローラの処理手順を示すフローチャートである。
【図１２】他の実施の形態に係るユーザー側の構成を示す平面図である。
【符号の説明】
１……チケット流通システム、２……チケット管理センタ、３、１０、１９……コントローラ、４……予約サーバ、５、１７……エンコーダ／デコーダ、７……課金センタ、８、８Ｂ……リーダライラ、９、９Ｂ……ＩＣカード、１８……リードオンリメモリ、２０……フラッシュメモリ
【図１】
0004207103.tif 000002
【図２】
0004207103.tif 000003
【図３】
0004207103.tif 000004
【図４】
0004207103.tif 000005
【図５】
0004207103.tif 000006
【図６】
0004207103.tif 000007
【図７】
0004207103.tif 000008
【図８】
0004207103.tif 000009
【図９】
0004207103.tif 000010
【図１０】
0004207103.tif 000011
【図１１】
0004207103.tif 000012
【図１２】
0004207103.tif 000013